(57)【要約】      （修正有）【課題】ローラーの押圧力を吸収できる間隔子を有するローラー軸受を提供する。【解決手段】外輪と、内輪と、ローリングユニットと、を含み、前記外輪は環状の外軌道を有し、前記内輪は環状の内軌道を有し、前記内輪は前記外輪の内側に設けられ、前記外軌道と前記内軌道とで負荷経路を構成し、前記ローリングユニットは複数のローラー及び複数の間隔子３２から構成され、隣接の２つの前記ローラーの間に１つの前記間隔子が設けられ、前記間隔子の両側面にそれぞれ前記ローラーと対応する保持面を有し、前記保持面は斜面３２１と平面を有し、前記斜面は、前記平面から外側に延伸して前記平面に対して１．５度〜１０度の角度を成すように設けられ、前記保持面は前記間隔子の中心から外径方向に広がるらっぱ状の避け部３２３を有し、前記避け部は４度〜２４度の挟角を有するように設けられている。【選択図】図４
0003207457.tif 000002
【実用新案登録請求の範囲】
【請求項１】
間隔子を有するローラー軸受であって、
外輪と、内輪と、ローリングユニットと、を含み、
前記外輪は環状の外軌道を有し、
前記内輪は環状の内軌道を有し、前記内輪は前記外輪の内側に設けられ、前記外軌道と前記内軌道とで負荷経路を構成し、
前記ローリングユニットは複数のローラー及び複数の間隔子から構成され、隣接の２つの前記ローラーの間に１つの前記間隔子が設けられ、前記間隔子の両側面にそれぞれ前記ローラーと対応する保持面を有し、
前記保持面は前記間隔子の中心から外径方向に広がるらっぱ状の避け部を有し、前記避け部は４度〜２４度の挟角を有するように設けられている
間隔子を有するローラー軸受。
【請求項２】
請求項１に記載の間隔子を有するローラー軸受であって、
前記避け部の前記挟角は、最適角度が１２度〜２０度である
間隔子を有するローラー軸受。
【請求項３】
請求項１に記載の間隔子を有するローラー軸受であって、
前記保持面は斜面と平面を有し、前記斜面は、前記平面から外側に延伸して前記平面に対して１．５度〜１０度の角度を成すように設けられている
間隔子を有するローラー軸受。
【考案の詳細な説明】
【技術分野】
【０００１】
本考案は、ローラー軸受に関し、特に間隔子を有するローラー軸受に関する。
【背景技術】
【０００２】
日本特許第４４４０３６６号公報に開示されている交差式ローラー軸受の間隔子は、該特許公報の図３から分かるように、間隔子は矩形の軌道に収容されて軌道と一定の間隙を保っており、図４から分かるように、隣接する二つのローラーは一つの間隔子の両側に交差して排列されている。
【先行技術文献】
【特許文献】
【０００３】
【特許文献１】日本特許第４４４０３６６号公報
【考案の概要】
【考案が解決しようとする課題】
【０００４】
しかしながら、上記軸受は、実際の作動過程において、ローラーが間隔子に押圧力を与えるために、間隔子が軌道の壁面に移動して、間隔子と軌道とが干渉し、軸受が作動時に円滑に作動できず、さらにはロックしてしまうという問題が起こる。よって、ローラーによる間隔子への押圧を回避することは、本分野における研究開発の重点の一つである。
【０００５】
本考案は、上記問題に鑑みるもので、ローラーの押圧力を吸収できる間隔子構造を提供することを目的とする。
【課題を解決するための手段】
【０００６】
上記目的を達成するために、本考案に係る間隔子を有するローラー軸受は、外輪と、内輪と、ローリングユニットと、を含み、前記外輪は環状の外軌道を有し、前記内輪は環状の内軌道を有し、前記内輪は前記外輪の内側に設けられ、前記外軌道と前記内軌道とで負荷経路を構成し、前記ローリングユニットは複数のローラー及び複数の間隔子から構成され、隣接の２つの前記ローラーの間に１つの前記間隔子が設けられ、前記間隔子の両側面にそれぞれ前記ローラーと対応する保持面を有し、前記保持面は前記間隔子の中心から外径方向に広がるらっぱ状の避け部を有し、前記避け部は４度〜２４度の挟角を有するように設けられている。
【０００７】
また、好ましくは、前記避け部の前記挟角は、最適角度が１２度〜２０度である。
【０００８】
また、好ましくは、前記保持面は斜面と平面を有し、前記斜面は、前記平面から外側に延伸して前記平面に対して１．５度〜１０度の角度を成すように設けられている。
【考案の効果】
【０００９】
このように、本考案においては、該斜面及び避け部を設けることによって、ローラーが負荷経路に配置されているとき、該斜面及び避け部によってローラーの傾斜角度を吸収することができ、ローラーによる間隔子への上方への押上げを回避することができる。
【図面の簡単な説明】
【００１０】
【図１】本考案に係る間隔子を有するローラー軸受の分解斜視図である。
【図２】本考案に係る間隔子を有するローラー軸受の組立図である。
【図３】本考案に係る間隔子の斜視図である。
【図４】本考案に係る間隔子を側面から見た図である。
【図５】本考案に係る間隔子を径方向から見た図である。
【図６】本考案に係る間隔子とローラーとの組み合わせを示す図である。
【図７】本考案に係る間隔子とローラーとの組み合わせの断面図である。
【図８】本考案に係る第２の実施形態における間隔子の斜視図である。
【図９】本考案に係る第３の実施形態における間隔子の斜視図である。
【考案を実施するための形態】
【００１１】
＜第１の実施形態＞
図１から図７を参照されたい。本考案に係る間隔子を有するローラー軸受は、外輪１と、内輪２と、ローリングユニット３と、を含む。外輪１は、環状の外軌道１１を有する。内輪２は、環状の内軌道２１を有する。該内輪２は該外輪１の内側に設けられ、該外軌道１１と内軌道２１とで負荷経路を構成する。ローリングユニット３は、複数のローラー３１及び複数の間隔子３２から構成され、隣接の２つの該ローラー３１の間に１つの間隔子３２が設けられる。該間隔子３２の両側面にそれぞれ該ローラー３１に対応する保持面を有する。該保持面は斜面３２１と平面３２２を有する。該斜面３２１は、該平面３２２から外側に延伸して該平面３２２に対して角度Ｂを成すように設けられ、該角度Ｂは、１．５度〜１０度である。また、該保持面は、間隔子３２の中心から外径方向に広がるらっぱ状の避け部３２３を有する。該避け部３２３は、挟角Ａを有するように設けられ、該挟角Ａは４度〜２４度である。該避け部３２３の挟角Ａは、最適角度が１２度〜２０度である。本実施形態では、避け部は、１つであり、且つ両保持面を貫通するものである。本考案は、該斜面３２１及び避け部３２３を設けることによって、ローラー３１が負荷経路に配置されているとき、図６、図７に示すように、該斜面３２１及び該避け部３２３によってローラー３１の傾斜角度を吸収することができ、ローラー３１による間隔子３２への上方への押上げを回避することができる。
【００１２】
＜第２の実施形態＞
図８を参照されたい。図８は、本考案に係る第２の実施形態を示す図である。本実施形態は、避け部３２３Ａが溝状の構造に形成されている点、両保持面に対応して設けられている点が、第１の実施形態と異なる。
【００１３】
＜第３の実施形態＞
図９を参照されたい。図９は、本考案に係る第３の実施形態を示す図である。本実施形態は、４つの避け部３２３Ａを両保持面に交差して配置し、両保持面がそれぞれ２つの避け部３２３Ａを有するように設けられている点が、第２の実施形態と異なる。
【００１４】
以上のように、本考案が「産業上の利用可能性を有する」ことには疑いの余地がない。また、本実施例において開示した技術的特徴は、出願前に刊行物に掲載されたことも、公開使用されたこともなく、上記の効果増進の事実を有するだけでなく、付加的な効果も見損なうことができない。よって、本考案の「新規性」及び「進歩性」は実用新案法規の規定を満たしており、法に従って実用新案登録出願をするので、審査を通じて早期に登録がされることを期待する。
【００１５】
以上の実施形態による開示は本考案を説明するためのもので、本考案を限定するものではない。従って、数値の変更や等効素子の置換等は、いずれも本考案の範囲に含まれる。
【符号の説明】
【００１６】
１                        外輪
１１                      外軌道
２                        内輪
２１                      内軌道
３                        ローリングユニット
３１                      ローラー
３２                      間隔子
３２１                    斜面
３２２                    平面
３２３、３２３Ａ          避け部
Ａ、Ｂ                    角度
【図１】
0003207457.tif 000003
【図２】
0003207457.tif 000004
【図３】
0003207457.tif 000005
【図４】
0003207457.tif 000006
【図５】
0003207457.tif 000007
【図６】
0003207457.tif 000008
【図７】
0003207457.tif 000009
【図８】
0003207457.tif 000010
【図９】
0003207457.tif 000011